(57)【要約】【課題】小型のディスプレイであっても多種多様で多量の観測データを監視することができるとともに、異常情報を検出して緊急度の高い異常情報を即座に操作人に知らせることができる観測データ監視装置を提供する。【解決手段】観測データを収集する観測データ受信部１２ａ、１２ｂ、１２ｃと、観測データに対する異常情報を表示する表示部１６と、制御部１３ａとを備え、制御部１３ａは、前記観測データが異常であるか否かを判断するための第１異常条件情報に基づいて観測データが異常であるか否かを判断する異常判断手段と、異常であると判断された前記観測データの緊急度を算出するための第２異常条件情報に基づいて観測データの緊急度を算出する緊急度算出手段と、緊急度算出手段により算出された観測データの緊急度に応じて表示部１６に表示すべき異常情報を制御する表示制御手段とを有する。【選択図】図１
2008158870.tif 000002
【特許請求の範囲】
【請求項１】
観測データを収集する１以上の観測データ収集手段と、
前記観測データが異常であるか否かを判断するための第１異常条件情報に基づいて前記１以上の観測データ収集手段により収集された前記観測データが異常であるか否かを判断する異常判断手段と、
前記異常判断手段により前記観測データが異常であると判断された場合に、前記観測データの緊急度を算出するための第２異常条件情報に基づいて前記観測データの緊急度を算出する緊急度算出手段と、
前記異常判断手段により前記観測データが異常であると判断された場合に、前記観測データに対する異常情報を表示する表示手段と、
前記緊急度算出手段により算出された前記観測データの緊急度に応じて前記表示手段に表示すべき異常情報を制御する表示制御手段と、
を備えることを特徴とする観測データ監視装置。
【請求項２】
前記第１異常条件情報と前記第２異常条件情報とを記憶する異常条件記憶手段を備えることを特徴とする請求項１記載の観測データ監視装置。
【請求項３】
前記異常判断手段により異常であると判断された前記観測データに対する異常情報を記憶する異常情報記憶手段を備え、
前記表示制御手段は、前記表示手段により既に第１観測データに対する第１異常情報が表示されている場合に、前記緊急度算出手段により算出された第２観測データに対する第２異常情報の緊急度と前記第１異常情報の緊急度とを比較し、緊急度が高い異常情報を前記表示手段に出力するとともに、緊急度が低い異常情報を前記異常情報記憶手段に出力し、
前記表示手段は、緊急度が最も高い異常情報のみを表示することを特徴とする請求項１又は請求項２記載の観測データ監視装置。
【請求項４】
外部入力に基づき前記表示手段により表示された異常情報の表示を解除する解除信号を前記表示制御手段に出力する外部入力手段を備え、
前記表示制御手段は、前記外部入力手段により解除信号が入力された場合に、前記表示手段により表示された異常情報の表示を解除するとともに、前記異常情報記憶手段に記憶された異常情報のうち緊急度が最も高い異常情報を前記表示手段に出力し、
前記表示手段は、前記表示制御手段により入力された異常情報を表示することを特徴とする請求項３記載の観測データ監視装置。
【請求項５】
前記外部入力手段は、外部入力に基づき異常情報の表示を制御する制御信号を前記表示制御部に出力し、
前記表示制御部は、前記制御信号に基づいて前記異常情報記憶手段に記憶された異常情報を読み出すとともに、読み出した前記異常情報を前記表示手段に出力することを特徴とする請求項４記載の観測データ監視装置。
【請求項６】
前記１以上の観測データ収集手段により収集された観測データを蓄積する観測データ蓄積手段を備え、
前記異常判断手段は、前記第１異常条件情報と前記観測データ蓄積手段に蓄積された観測データとに基づいて前記１以上の観測データ収集手段により収集された観測データが異常であるか否かを判断することを特徴とする請求項１乃至請求項５のいずれか１項記載の観測データ監視装置。
【請求項７】
前記緊急度算出手段は、前記第２異常条件情報と前記観測データ蓄積手段に蓄積された観測データとに基づいて、前記異常判断手段により異常であると判断された観測データの緊急度を算出することを特徴とする請求項６記載の観測データ監視装置。
【請求項８】
前記表示手段は、ポップアップウィンドウにより前記観測データに対する異常情報を表示することを特徴とする請求項１乃至請求項７のいずれか１項記載の観測データ監視装置。
【発明の詳細な説明】
【技術分野】
【０００１】
本発明は、多種多様で多量の観測データをリアルタイムに監視する観測データ監視装置に関する。
【背景技術】
【０００２】
従来から、多種多様で多量の観測データをリアルタイムに監視することは様々な場面で必要とされており、様々な監視システム等が提案されている。
【０００３】
例えば特許文献１には、源泉等における各種の物理量を計測して得られる計測データを効率よく低コストで収集し管理することを可能とするデータ取得装置、データサーバ及びデータサービスシステムが記載されている。
【０００４】
このデータサービスシステムは、各源泉ごとにデータ取得装置を備えている。データ取得装置は、源泉の温度、水量、水位等に関する計測データを取得し、インターネット通信網を介してサーバに送信する。サーバは、データ取得装置から送られてきた計測データを受信して蓄積するとともに、この蓄積された計測データをインターネット通信網を介して提供する。
【０００５】
したがって、計測データの監視をしようとするユーザは、インターネット通信網を介してサーバにアクセスするだけで目的を達成することができる。すなわち、ユーザは、データ取得装置とデータサーバへのアクセスに使用するための通常の情報処理端末とを用意するだけでデータ管理システムを構築することができ、必要な計測データを取得して源泉の状況を監視することが可能になる。
【０００６】
このため、安価に必要な計測データの監視システムを構築することができる。また、データ取得装置とサーバとの間のデータ通信や、サーバに対するアクセスを、無課金制のインターネット通信網を利用して行うようにしたので、データ取得装置や情報処理端末の設置場所にかかわらず、安価なコストでの通信が可能となる。
【０００７】
また、多種多様で多量の観測データをリアルタイムに監視する必要がある他のシステムとして、気象観測システムや電力系統監視システムが挙げられる。
【特許文献１】特開２０００−２０５５６号公報
【発明の開示】
【発明が解決しようとする課題】
【０００８】
しかしながら、上述したシステムは、多種多様で多量の観測データをリアルタイムに監視するために、操作人に対して多量の観測データの中から必要な情報を即座に示すことが困難となる。例えば、気象観測システムのように様々な観測地点で多種多様な観測データ（降水量や河川の水位等）が収集されている場合、収集された観測データの全てをリアルタイムに１画面上で表示することは困難である。１画面で表示するためには、例えば電力システムの電力系統監視モニタのような超大型の専用ディスプレイが必要となり、通常のディスプレイに表示すること難しい。
【０００９】
また、従来のシステムにおいては、異常情報を通知するために、ディスプレイにポップアップウィンドウが表示される場合が多い。このような場合、操作人は、ポップアップウィンドウ中に表示された“ＯＫ”等のボタンをクリックして表示を解除しなければ、次の異常情報がポップアップウィンドウにより表示されない。したがって、より緊急度の高い異常が後から発生した場合であっても、操作人は、現在表示されているポップアップウィンドウの表示を解除しないかぎり、即座に緊急度の高い異常情報を知ることができないという問題点がある。
【００１０】
本発明は上述した従来技術の問題点を解決するもので、小型のディスプレイであっても多種多様で多量の観測データを監視することができるとともに、異常情報を検出して緊急度の高い異常情報を即座に操作人に知らせることができる観測データ監視装置を提供することを課題とする。
【課題を解決するための手段】
【００１１】
本発明に係る観測データ監視装置は、上記課題を解決するために、請求項１記載の発明は、観測データを収集する１以上の観測データ収集手段と、前記観測データが異常であるか否かを判断するための第１異常条件情報に基づいて前記１以上の観測データ収集手段により収集された前記観測データが異常であるか否かを判断する異常判断手段と、前記異常判断手段により前記観測データが異常であると判断された場合に、前記観測データの緊急度を算出するための第２異常条件情報に基づいて前記観測データの緊急度を算出する緊急度算出手段と、前記異常判断手段により前記観測データが異常であると判断された場合に、前記観測データに対する異常情報を表示する表示手段と、前記緊急度算出手段により算出された前記観測データの緊急度に応じて前記表示手段に表示すべき異常情報を制御する表示制御手段とを備えることを特徴とする。
【００１２】
請求項２記載の発明は、請求項１において、前記第１異常条件情報と前記第２異常条件情報とを記憶する異常条件記憶手段を備えることを特徴とする。
【００１３】
請求項３記載の発明は、請求項１又は請求項２において、前記異常判断手段により異常であると判断された前記観測データに対する異常情報を記憶する異常情報記憶手段を備え、前記表示制御手段は、前記表示手段により既に第１観測データに対する第１異常情報が表示されている場合に、前記緊急度算出手段により算出された第２観測データに対する第２異常情報の緊急度と前記第１異常情報の緊急度とを比較し、緊急度が高い異常情報を前記表示手段に出力するとともに、緊急度が低い異常情報を前記異常情報記憶手段に出力し、前記表示手段は、緊急度が最も高い異常情報のみを表示することを特徴とする。
【００１４】
請求項４記載の発明は、請求項３において、外部入力に基づき前記表示手段により表示された異常情報の表示を解除する解除信号を前記表示制御手段に出力する外部入力手段を備え、前記表示制御手段は、前記外部入力手段により解除信号が入力された場合に、前記表示手段により表示された異常情報の表示を解除するとともに、前記異常情報記憶手段に記憶された異常情報のうち緊急度が最も高い異常情報を前記表示手段に出力し、前記表示手段は、前記表示制御手段により入力された異常情報を表示することを特徴とする。
【００１５】
請求項５記載の発明は、請求項４において、前記外部入力手段は、外部入力に基づき異常情報の表示を制御する制御信号を前記表示制御部に出力し、前記表示制御部は、前記制御信号に基づいて前記異常情報記憶手段に記憶された異常情報を読み出すとともに、読み出した前記異常情報を前記表示手段に出力することを特徴とする。
【００１６】
請求項６記載の発明は、請求項１乃至請求項５のいずれか１項において、前記１以上の観測データ収集手段により収集された観測データを蓄積する観測データ蓄積手段を備え、前記異常判断手段は、前記第１異常条件情報と前記観測データ蓄積手段に蓄積された観測データとに基づいて前記１以上の観測データ収集手段により収集された観測データが異常であるか否かを判断することを特徴とする。
【００１７】
請求項７記載の発明は、請求項６において、前記緊急度算出手段は、前記第２異常条件情報と前記観測データ蓄積手段に蓄積された観測データとに基づいて、前記異常判断手段により異常であると判断された観測データの緊急度を算出することを特徴とする。
【００１８】
請求項８記載の発明は、請求項１乃至請求項７のいずれか１項において、前記表示手段は、ポップアップウィンドウにより前記観測データに対する異常情報を表示することを特徴とする。
【発明の効果】
【００１９】
本発明の請求項１記載の発明によれば、異常判断手段により第１異常条件に基づいて観測データ収集手段により収集された観測データの異常を即座に判断して検出することができる。また、表示制御手段が緊急度に応じて表示手段に表示すべき異常情報を制御するので、緊急度の高い異常情報を即座に操作人に知らせることができる。
【００２０】
本発明の請求項２記載の発明によれば、第１異常条件情報と第２異常条件情報とを記憶する異常条件記憶手段を備えるので、各異常条件情報の設定を柔軟に行うことができる。
【００２１】
本発明の請求項３記載の発明によれば、表示制御手段がより緊急度の高い異常情報を表示手段に出力するので、緊急度の高い異常情報を即座に操作人に知らせることができる。また、表示手段に最も緊急度の高い異常情報のみが表示されるので、大型の専用ディスプレイ等を必要とせず、小型のディスプレイであっても多種多様で多量の観測データを監視することができる。
【００２２】
さらに、もともと表示手段により表示されていた緊急度の低い異常情報は、異常情報記憶手段により記憶されるので、必要な場合に表示制御手段が読み出して表示することができる。
【００２３】
本発明の請求項４記載の発明によれば、外部入力手段により異常情報の表示を解除された場合に、異常情報記憶手段に記憶された異常情報のうち緊急度が最も高い観測データに対する異常情報を表示手段に表示するので、常に操作人に対して緊急度の高い情報を順番に提供することができる。
【００２４】
本発明の請求項５記載の発明によれば、操作人は外部入力手段を用いて外部入力することにより、異常情報記憶手段に記憶された情報を緊急度の高低にかかわらず、表示させることができる。
【００２５】
本発明の請求項６記載の発明によれば、異常判断手段は、観測データ蓄積手段により蓄積された過去の観測データも参照して観測データが異常であるか否かを判断するので、より正確に異常を判断することができる。
【００２６】
本発明の請求項７記載の発明によれば、緊急度算出手段は、観測データ蓄積手段により蓄積された過去の観測データも参照して観測データの緊急度を算出するので、より正確に緊急度を算出することができる。
【００２７】
本発明の請求項８記載の発明によれば、表示手段は、ポップアップウィンドウにより観測データに対する異常情報を表示するので、操作人に緊急度の高い異常情報に対する注意喚起を促すことができる。また、ポップアップウィンドウは、“ＯＫ”ボタン等をクリックすることにより表示を解除することができる場合が多いため、本発明の適用が容易である。
【発明を実施するための最良の形態】
【００２８】
以下、本発明の観測データ監視装置の実施の形態を、図面に基づいて詳細に説明する。
【実施例１】
【００２９】
以下、本発明の実施例について図面を参照しながら説明する。図１は、本発明の実施例１の観測データ監視装置の構成を示すブロック図である。また図２は、本発明の実施例１の観測データ監視装置の制御部１３ａの詳細な構成を示すブロック図である。
【００３０】
まず、本実施の形態の構成を説明する。本実施例の観測データ監視装置は、図１に示すように、観測データ受信部１２ａ、１２ｂ、１２ｃ、制御部１３ａ、異常条件ＤＢ（データベース）１５、表示部１６、及び外部入力装置１７で構成されている。
【００３１】
観測データ受信部１２ａ、１２ｂ、１２ｃは、本発明の観測データ収集手段に対応し、それぞれ観測データを収集するとともに、ネットワーク１１を介して制御部１３ａに観測データを出力する。観測データは、様々なものが考えられる。１例として、この観測データ監視装置が観測データとして気象データを監視するものである場合、各地での降水量や河川の水位等が観測データとして考えられる。
【００３２】
異常条件ＤＢ１５は、本発明の異常条件記憶手段に対応し、観測データ受信部１２ａ、１２ｂ、１２ｃにより収集された観測データが異常であるか否かを判断する際に用いる第１異常条件情報と、異常であると判断された観測データの緊急度の算出に用いる第２異常条件情報とを記憶する。
【００３３】
表示部１６は、本発明の表示手段に対応し、後述する異常判断部２１により観測データが異常であると判断された場合に、観測データに対する異常情報を表示する。
【００３４】
外部入力装置１７は、本発明の外部入力手段に対応し、外部入力に基づき、表示部１６により表示された異常情報の表示を解除する解除信号又は異常情報の表示を制御する制御信号を後述する表示制御部２５に出力する。ここで、外部入力装置１７は、例えばキーボードやマウス等である。
【００３５】
また操作人は、外部入力装置１７を用いて、異常条件ＤＢ１５に予め第１異常条件情報若しくは第２異常条件情報を記憶させることができる。操作人は、これらの条件を過去のデータ等に基づいて自由に設定することができる。
【００３６】
制御部１３ａは、図２に示すように、異常判断部２１、緊急度算出部２２、表示待ち異常記憶部２４、及び表示制御部２５で構成されている。
【００３７】
異常判断部２１は、本発明の異常判断手段に対応し、異常条件ＤＢ１５、観測データ受信部１２ａ、１２ｂ、１２ｃ、及び緊急度算出部２２に接続され、異常条件ＤＢ１５により記憶された第１異常条件情報に基づいて、観測データが異常であるか否かを判断するとともに、異常であると判断した観測データに対する異常情報を緊急度算出部２２に出力する。
【００３８】
ここで、第１異常条件情報の１例として、基準となる降水量や河川の水位が考えられる。異常判断部２１は、所定の降水量や河川の水位を超える観測データを入力された場合に、その観測データは異常であると判断する。
【００３９】
緊急度算出部２２は、本発明の緊急度算出手段に対応し、異常判断部２１により観測データが異常であると判断された場合に、第２異常条件情報に基づいて観測データの緊急度を算出し、緊急度の算出結果と観測データに対する異常情報とを表示制御部２５に出力する。ここで緊急度算出部２２は、第２異常条件情報を異常判断部２１を介して異常条件ＤＢ１５から取得する。
【００４０】
ここで、第２異常条件情報の１例として、降水量や河川の水位に基づいて緊急度を算出する条件が考えられる。例えば、単に降水量の多い順に緊急度が算出されるように第２異常条件情報を設定してもよい。また、たとえ降水量が多くても、河川の水位が上がり、氾濫しそうな地点があれば、そちらの緊急度が上であると緊急度算出部２２により判断されるように第２異常条件情報を設定してもよい。すなわち、操作人は、状況に応じて柔軟に緊急度を算出できるように、自由に第２異常条件情報を設定できる。
【００４１】
表示待ち異常記憶部２４は、本発明の異常情報記憶手段に対応し、異常判断部２１により異常であると判断された観測データに対する異常情報を記憶する。記憶するタイミングについては、後述する。
【００４２】
表示制御部２５は、本発明の表示制御手段に対応し、外部入力装置１７、表示部１６、緊急度算出部２２、及び表示待ち異常記憶部２４に接続され、緊急度算出部２２により算出された観測データの緊急度に応じて表示部１６に表示すべき異常情報を制御する。ここでの制御について詳述すると、表示制御部２５は、表示部１６により既に第１観測データに対する第１異常情報が表示されている場合に、緊急度算出部２２により算出された第２観測データに対する第２異常情報の緊急度と第１異常情報の緊急度とを比較し、緊急度が高い異常情報を表示部１６に出力するとともに、緊急度が低い異常情報を表示待ち異常記憶部２４に出力する。このとき、表示部１６は、緊急度が最も高い異常情報のみを表示する。
【００４３】
したがって、仮に第２異常情報の緊急度の方が第１異常情報の緊急度よりも高い場合には、表示部１６は、第２異常情報のみを表示する。また表示待ち異常記憶部２４は、第１異常情報を記憶する。
【００４４】
逆に、第２異常情報の緊急度の方が第１異常情報の緊急度よりも低い場合には、表示部１６は、継続して第１異常情報を表示する。また表示待ち異常記憶部２４は、第２異常情報を記憶する。
【００４５】
また仮に、この後、緊急度算出部２２により緊急度が最も高い第３異常情報が表示制御部２５に対して出力された場合には、表示部１６は、第３異常情報のみを表示する。また表示待ち異常記憶部２４は、第１異常情報及び第２異常情報を記憶する。ただし、第１異常情報及び第２異常情報は、操作人により外部入力装置１７を用いて表示を解除されていないものとする。外部入力装置１７により表示を解除された異常情報は、表示待ち異常記憶部２４には記憶されないからである。
【００４６】
ここで表示の解除について詳述する。表示制御部２５は、外部入力装置１７により解除信号を入力された場合に、表示部１６により表示された観測データに対する異常情報の表示を解除するとともに、表示待ち異常記憶部２４に記憶された異常情報のうち緊急度が最も高い観測データに対する異常情報を表示部１６に出力する。また、表示部１６は、表示制御部２５により入力された観測データに対する異常情報を表示する。
【００４７】
したがって、表示部１６は常に、外部入力装置１７により表示が解除されていない異常情報のうち緊急度が最も高い観測データに対する異常情報を表示する。
【００４８】
また、操作人は、外部入力装置１７を用いて表示待ち異常記憶部２４に記憶された緊急度の高くない他の異常情報を表示部１６に表示させることもできる。この場合、外部入力装置１７は、操作人の外部入力に基づき異常情報の表示を制御する制御信号を表示制御部２５に出力する。表示制御部２５は、制御信号に基づいて表示待ち異常記憶部２４に記憶された異常情報を読み出すとともに、読み出した異常情報を表示部１６に出力する。したがって操作人は、緊急度が高くない他の異常情報についても、いつでも確認することができる。
【００４９】
次に、上述のように構成された本実施の形態の作用を説明する。図３は、本実施例の形態の観測データ監視装置の動作を示すフローチャート図である。まず、観測データ受信部１２ａ、１２ｂ、１２ｃは、それぞれ監視対象の観測データを受信・収集し、ネットワーク１１を介して制御部１３ａ内の異常判断部２１に出力する（ステップＳ３０１）。
【００５０】
次に、異常判断部２１は、異常条件ＤＢ１５により記憶された第１異常条件情報に基づいて、入力された観測データが異常であるか否かを判断する（ステップＳ３０２）。観測データが異常でない場合には、ステップＳ３０１に戻る。異常である場合、異常判断部２１は、異常であると判断した観測データに対する異常情報を緊急度算出部２２に出力する。
【００５１】
緊急度算出部２２は、第２異常条件情報に基づいて、異常判断部２１により異常であると判断された観測データの緊急度を算出する（ステップＳ３０３）。その後、緊急度算出部２２は、緊急度の算出結果と観測データに対する異常情報とを表示制御部２５に出力する。
【００５２】
表示制御部２５は、緊急度算出部２２により算出された観測データの緊急度に応じて表示部１６に表示すべき異常情報を制御する。この際、表示制御部２５は、表示部１６に異常情報を表示しているか否かを判断する（ステップＳ３０４）。表示部１６が異常を表示中でない場合、表示制御部２５は、表示部１６に緊急度算出部２２により入力された観測データに対する異常情報を表示する（ステップＳ３０５）。この後は、再びステップＳ３０１に戻る。
【００５３】
また上述したように、表示制御部２５は、表示部１６により既に第１観測データに対する第１異常情報が表示されている場合には、緊急度算出部２２により算出された第２観測データに対する第２異常情報の緊急度と第１異常情報の緊急度とを比較する（ステップＳ３０６）。
【００５４】
第１異常情報の緊急度が第２異常情報の緊急度よりも高い場合、表示制御部２５は、第２異常情報を表示待ち異常記憶部２４に出力する。表示待ち異常記憶部２４は、入力された第２異常情報を記憶する（ステップＳ３０９）。この場合、表示部１６は、継続して第１異常情報を表示する。この後は、ステップＳ３０１に戻る。
【００５５】
逆に、第１異常情報の緊急度が第２異常情報の緊急度よりも低い場合、表示制御部２５は、第１異常情報を表示待ち異常記憶部２４に出力する（ステップＳ３０７）。その後、表示制御部２５は、表示部１６に第２異常情報を出力する。表示部１６は、緊急度の高い第２異常情報に表示を更新する（ステップＳ３０８）。この後は、再びステップＳ３０１に戻る。
【００５６】
図４は、本実施例の形態の観測データ監視装置において、操作人により表示を解除された場合の動作を示すフローチャート図である。上述したように、操作人は、キーボードやマウス等の外部入力装置１７を用いて表示部１６に表示された異常情報の表示を解除することができる。操作人は、異常情報の表示を解除する場合、外部入力装置１７を用いて解除信号を表示制御部１７に入力する。表示制御部２５は、外部入力装置１７により解除信号を入力されたか否かを判断する（ステップＳ４０１）。解除信号が入力されていない場合は、ステップＳ４０１に戻る。
【００５７】
表示制御部２５は、外部入力装置１７により解除信号を入力された場合に、表示部１６により表示された観測データに対する異常情報の表示を解除し、画面から消去する（ステップＳ４０３）。
【００５８】
次に、表示制御部２５は、表示待ち異常記憶部２４に他の異常情報を記憶しているか否かを判断する（ステップＳ４０５）。表示待ち異常記憶部２４に他の異常情報が記憶されていない場合には、動作を終了する。
【００５９】
表示待ち異常記憶部２４に他の異常情報が記憶されている場合、表示制御部２５は、表示待ち異常記憶部２４に記憶された異常情報のうち緊急度が最も高い観測データに対する異常情報を表示部１６に出力する。また、表示部１６は、表示制御部２５により入力された観測データに対する異常情報を表示する（ステップＳ４０７）。
【００６０】
図５は、観測データに対する異常情報を表示部１６に表示する場合の表示例を示す。本実施例において、表示部１６は、図５に示すように、ポップアップウィンドウにより観測データに対する異常情報を表示する。表示例４１は、観測データに対する異常の種類や発生日時を示す。また、発生場所を示してもよい。表示例４１は、ポップアップウィンドウであり、“ＯＫ”ボタンをクリックすることにより、表示を解除できる。すなわち、操作人が外部入力装置１７であるマウスを用いて“ＯＫ”ボタンをクリックすることにより、表示制御部２５に解除信号が入力される。表示が解除された後は、図４のフローチャートを用いて説明したように、表示待ち異常記憶部２４に記憶された異常情報のうち緊急度が最も高い観測データに対する異常情報が表示部１６にポップアップウィンドウで表示される。
【００６１】
さらに、表示例４１に示す異常情報よりも緊急度が高い観測データが観測された場合、操作人により“ＯＫ”ボタンをクリックされるまでもなく、表示部１６は緊急度の高い観測データに対する異常情報を表示する。この場合、もともと表示部１６に表示されていた異常情報は、表示待ち異常記憶部２４に記憶され、表示を解除される。
【００６２】
また、表示例４２には、異常情報の詳細が表示される。例えば、異常判断部２１が異常条件ＤＢ１５により記憶された第１異常条件情報に基づいて、降水量の観測データが異常であると判断した場合に、表示部１６は、異常の発生日時や場所の他に、観測した降水量の観測データを表示する。また必要であれば、第１異常条件情報において、異常であるか否かの判断基準となる降水量を表示することもできる。その場合、操作人は、観測した降水量の観測データが判断基準となる降水量をどの程度超えているかを確認することができる。なお表示例４２は、表示例４１の表示を解除することにより、一緒に表示が解除される。
【００６３】
上述のとおり、本発明の実施例１の形態に係る観測データ監視装置によれば、異常判断部２１により第１異常条件に基づいて観測データ受信部１２ａ、１２ｂ、１２ｃにより収集された観測データの異常を即座に判断して検出することができる。さらに第１異常条件情報と第２異常条件情報とを記憶する異常条件ＤＢ１５を備えるので、操作人は、外部入力装置１７を介して各異常条件情報を自由に設定することができる。
【００６４】
また、表示制御部２５が緊急度に応じて表示部１６に表示すべき異常情報を制御するので、緊急度の高い異常情報を即座に操作人に知らせることができる。
【００６５】
さらに、表示制御部２５がより緊急度の高い異常情報を表示部１６に出力するので、緊急度の高い異常情報を即座に操作人に知らせることができる。また、表示部１６に最も緊急度の高い異常情報のみが表示されるので、大型の専用ディスプレイ等を必要とせず、小型のディスプレイであっても多種多様で多量の観測データを監視することができる。
【００６６】
一方、もともと表示部１６により表示されていた緊急度の低い異常情報は、表示待ち異常記憶部２４により記憶されるので、必要な場合に表示制御部２５が読み出して表示することができる。
【００６７】
また、外部入力装置１７により異常情報の表示を解除された場合に、表示待ち異常記憶部２４に記憶された異常情報のうち緊急度が最も高い観測データに対する異常情報を表示部１６に表示するので、常に操作人に対して緊急度の高い情報を順番に提供することができる。
【００６８】
さらに、操作人は外部入力装置１７を用いて外部入力することにより、表示待ち異常記憶部２４に記憶された情報を緊急度の高低にかかわらず、表示させることができ、緊急度が高くない他の異常情報についても、いつでも確認をすることができる。
【００６９】
また、表示部１６は、ポップアップウィンドウにより観測データに対する異常情報を表示するので、操作人に緊急度の高い異常情報に対する注意喚起を促すことができる。また、ポップアップウィンドウは、“ＯＫ”ボタン等をクリックすることにより表示を解除することができる場合が多いため、本発明の適用が容易である。
【実施例２】
【００７０】
図６は、本発明の実施例２の観測データ監視装置の構成を示すブロック図である。また図７は、本発明の実施例２の観測データ監視装置の制御部１３ｂの詳細な構成を示すブロック図である。実施例１の構成と異なる点は、観測データＤＢ（データベース）１４が備えられている点である。
【００７１】
観測データＤＢ１４は、本発明の観測データ蓄積手段に対応し、制御部１３ｂ内の異常判断部２１に接続されている。観測データＤＢ１４は、異常判断部２１を介して、観測データ受信部１２ａ、１２ｂ、１２ｃにより収集された観測データを蓄積する。
【００７２】
異常判断部２１は、異常条件ＤＢ１５に記憶された第１異常条件情報と、観測データＤＢ１４に蓄積された過去の観測データとに基づいて、観測データ受信部１２ａ、１２ｂ、１２ｃにより収集された観測データが異常であるか否かを判断する。
【００７３】
また緊急度算出部２２は、異常条件ＤＢ１５に記憶された第２異常条件情報と、観測データＤＢ１４に蓄積された過去の観測データとに基づいて、異常判断部２１により異常であると判断された観測データの緊急度を算出する。
【００７４】
次に、上述のように構成された本実施の形態の作用を説明する。基本的な動作は実施例１の観測データ監視装置と同じである。ただし、図３のステップＳ３０２において、異常判断部２１は、上述したように、異常条件ＤＢ１５により記憶された第１異常条件情報と、観測データＤＢ１４に蓄積された過去の観測データとに基づいて、入力された観測データが異常であるか否かを判断する。
【００７５】
したがって、操作人は、さらに柔軟に第１異常条件情報を設定することができる。例えば、異常判断部２１は、降水量や河川の水位について、過去の観測データと現在の観測データとを参照し、１時間あたりの降水量や河川の水位の変化量を算出することができる。第１異常条件情報に、１時間あたりの変化量が所定の変化量を超えた場合に異常であると判断するように設定することにより、異常判断部２１は、迅速に異常を検出することができる。
【００７６】
また過去に異常が起きた場合の観測データを観測データＤＢ１４に蓄積しておき、同種の観測データが観測された場合に異常判断部２１が異常であると判断するように第１異常条件情報を設定しておいてもよい。
【００７７】
また、図３のステップＳ３０３において、緊急度算出部２２は、上述したように、第２異常条件情報と、観測データＤＢ１４に蓄積された過去の観測データとに基づいて、異常判断部２１により異常であると判断された観測データの緊急度を算出する。
【００７８】
第１異常条件情報と同様に、過去の情報も条件に含めることにより、操作人は、さらに柔軟に第２異常条件情報を設定することができる。１例として、緊急度算出部２２は、降水量や河川の水位の時間あたりの変化量に基づき緊急度を算出することができる。また、過去に異常が起きた場合の観測データに対する緊急度を観測データＤＢ１４に蓄積しておき、同種の観測データが観測された場合に緊急度算出部２２が観測データＤＢ１４に蓄積された過去の観測データに対する緊急度を参照して緊急度を決定してもよい。
【００７９】
上述のとおり、本発明の実施例２の形態に係る観測データ監視装置によれば、実施例１の効果に加え、異常判断部２１は、観測データＤＢ１４により蓄積された過去の観測データも参照して観測データが異常であるか否かを判断するので、より正確に異常を判断することができる。
【００８０】
また、緊急度算出部２２は、観測データＤＢ１４により蓄積された過去の観測データも参照して観測データの緊急度を算出するので、より正確に緊急度を算出することができる。
【産業上の利用可能性】
【００８１】
本発明に係る観測データ監視装置は、多種多様で多量の観測データをリアルタイムに監視する業務に用いられる気象観測システムや電力系統監視システム等の観測データ監視装置に利用可能である。
【図面の簡単な説明】
【００８２】
【図１】本発明の実施例１の形態の観測データ監視装置の構成を示すブロック図である。
【図２】本発明の実施例１の形態の観測データ監視装置の制御部の詳細な構成を示すブロック図である。
【図３】本発明の実施例１の形態の観測データ監視装置の動作を示すフローチャート図である。
【図４】本発明の実施例１の形態の観測データ監視装置において操作人により表示を解除された場合の動作を示すフローチャート図である。
【図５】本発明の実施例１の形態の観測データ監視装置において観測データに対する異常情報の表示例を示す図である。
【図６】本発明の実施例２の形態の観測データ監視装置の構成を示すブロック図である。
【図７】本発明の実施例２の形態の観測データ監視装置の制御部の詳細な構成を示すブロック図である。
【符号の説明】
【００８３】
１１    ネットワーク
１２ａ、１２ｂ、１２ｃ  観測データ受信部
１３ａ、１３ｂ  制御部
１４    観測データＤＢ
１５    異常条件ＤＢ
１６    表示部
１７    外部入力装置
２１    異常判断部
２２    緊急度算出比較部
２４    表示待ち異常記憶部
２５    表示制御部
４１    表示例
４２    表示例
【図１】
2008158870.tif 000003
【図２】
2008158870.tif 000004
【図３】
2008158870.tif 000005
【図４】
2008158870.tif 000006
【図５】
2008158870.tif 000007
【図６】
2008158870.tif 000008
【図７】
2008158870.tif 000009